(57)【要約】【課題】光送信器において光信号の伝送特性を向上させる。【解決手段】光送信器は、第１変調部１１と制御部１１１と第２変調部１４と第１取得部１５と第２取得部１７と送信制御部１９とを備える。第１変調部１１は、電気信号を、個別の伝送容量がそれぞれ割り当てられた複数のサブキャリアを含むマルチキャリア信号に変調する。制御部１１１は、第１変調部１１におけるマルチキャリア信号のサブキャリアの数を変更制御する。第２変調部１４は、第１変調部１１により変調された電気信号に基づき、所定の波長の光を光信号に変調する。第１取得部１５は、第１変調部１１により変調された電気信号の強度の第１の度数分布を取得する。第２取得部は、第２変調部１４の光変調により得られた光信号の強度の第２の度数分布を取得する。送信制御部１９は、第１の度数分布と第２の度数分布との乖離が一定以下となるように、第２変調部による変調特性を制御する。【選択図】図１１
2018019150.tif 000002
【特許請求の範囲】
【請求項１】
電気信号を、個別の伝送容量がそれぞれ割り当てられた複数のサブキャリアを含むマルチキャリア信号に変調する第１変調部と、
前記第１変調部における前記マルチキャリア信号の前記サブキャリアの数を変更制御する制御部と、
前記第１変調部により変調された前記電気信号に基づき、所定の波長の光を光信号に変調する第２変調部と、
前記第１変調部により変調された前記電気信号の強度の第１の度数分布を取得する第１取得部と、
前記第２変調部の光変調により得られた前記光信号の強度の第２の度数分布を取得する第２取得部と、
前記第１取得部により取得された前記第１の度数分布と、前記第２取得部により取得された前記第２の度数分布との乖離が一定以下となるように、前記第２変調部による変調特性を制御する送信制御部と、
を備える、光送信器。
【請求項２】
前記送信制御部は、前記変調特性を、前記第２の度数分布が正規分布となるように制御する、
請求項１に記載の光送信器。
【請求項３】
前記制御部は、前記光信号を受信する光受信器に前記複数のサブキャリアの数を通知する、
請求項１又は２に記載の光送信器。
【請求項４】
請求項１〜３のいずれか１項に記載の光送信器からの前記光信号を復調する復調部と、
前記光送信器から通知された前記複数のサブキャリアの数に基づき、前記復調部を制御するサブキャリア数制御部と、
を備える、光受信器。
【請求項５】
光送信器と、
前記光送信器からの光信号を受信する光受信器と、
を備え、
前記光送信器は、
電気信号を、個別の伝送容量がそれぞれ割り当てられた複数のサブキャリアを含むマルチキャリア信号に変調する第１変調部と、
前記第１変調部における前記マルチキャリア信号の前記サブキャリアの数を変更制御する制御部と、
前記第１変調部により変調された前記電気信号に基づき、所定の波長の光を前記光信号に変調する第２変調部と、
前記第１変調部により変調された前記電気信号の強度の第１の度数分布を取得する第１取得部と、
前記第２変調部の光変調により得られた前記光信号の強度の第２の度数分布を取得する第２取得部と、
前記第１取得部により取得された前記第１の度数分布と、前記第２取得部により取得された前記第２の度数分布との乖離が一定以下となるように、前記第２変調部による変調特性を制御する送信制御部と、
を備える、光通信システム。
【請求項６】
光送信器において、
電気信号を、個別の伝送容量がそれぞれ割り当てられた複数のサブキャリアを含むマルチキャリア信号に変調し、
前記マルチキャリア信号の前記サブキャリアの数を変更制御し、
前記変調された前記電気信号に基づき、所定の波長の光を光信号に変調し、
前記変調された前記電気信号の強度の第１の度数分布を取得し、
前記光変調により得られた前記光信号の強度の第２の度数分布を取得し、
前記取得された前記第１の度数分布と、前記取得された前記第２の度数分布との乖離が一定以下となるように、前記光信号の変調特性を制御する、
光送信制御方法。
【請求項７】
光送信器において、
電気信号を、個別の伝送容量がそれぞれ割り当てられた複数のサブキャリアを含むマルチキャリア信号に変調し、
前記マルチキャリア信号の前記サブキャリアの数を変更制御し、
前記変調された前記電気信号に基づき、所定の波長の光を光信号に変調し、
前記変調された前記電気信号の強度の第１の度数分布を取得し、
前記光変調により得られた前記光信号の強度の第２の度数分布を取得し、
前記取得された前記第１の度数分布と、前記取得された前記第２の度数分布との乖離が一定以下となるように、前記光信号の変調特性を制御するとともに、
前記光信号を受信する光受信器に前記複数のサブキャリアの数を通知し、
前記光受信器において、
前記光送信器から送信された前記光信号を復調し、
前記通知された前記複数のサブキャリアの数に基づき、前記復調を制御する、
光送受信制御方法。
【発明の詳細な説明】
【技術分野】
【０００１】
本発明は、光送信器、光受信器、光通信システム、光送信制御方法及び光送受信制御方法に関する。
【背景技術】
【０００２】
離散マルチトーン（ＤＭＴ：Discrete Multi-Tone）変調方式の伝送方法は、例えばＶＤＳＬ（Very high bit rate Digital Subscriber Line）などのアクセス系のメタル回線などに用いられている。近年、ネットワークのトラフィックの増加に伴い、ＤＭＴ変調方式の光伝送技術への適用が研究開発されている。
【０００３】
ＤＭＴ変調方式は、直交周波数多重（ＯＦＤＭ：Orthogonal Frequency Division Multiplexing）技術に基づくマルチキャリア伝送技術（例えば特許文献１及び２参照）である。ＤＭＴ変調方式では、周波数の異なる複数のサブキャリア（ＳＣ：Subcarrier（搬送波））にデータをそれぞれ割り当て、割り当てたデータを、ＳＣごとの伝送特性に応じた多値度及び信号パワーに基づいて変調し、ＤＭＴ信号として伝送する。なお、各ＳＣのデータに用いられる多値変調方式としては、例えばＱＰＳＫ（Quadrature Phase Shift Keying）やＱＡＭ（Quadrature Amplitude Modulation）が挙げられる。
【先行技術文献】
【特許文献】
【０００４】
【特許文献１】特開２０１０−１４７９８３号公報
【特許文献２】特開２００３−３３２８５３号公報
【特許文献３】特開２００２−２２３１７１号公報
【発明の概要】
【発明が解決しようとする課題】
【０００５】
ＤＭＴ変調されたデジタル信号は、例えばマッハツェンダ型光変調器などの光変調器により光信号に変換されて送信される。しかし、光変調器の変調特性には、例えば、バイアス電圧に対する光信号のパワーの変化特性のように非線形な特性を示す領域が存在するため、光信号の伝送特性が劣化するという課題がある。なお、この課題は、ＤＭＴ変調方式の光信号に限定されず、他の変調方式の光信号にも同様に存在する。
【０００６】
１つの側面では、光送信器において光信号の伝送特性を向上させることを目的とする。
【課題を解決するための手段】
【０００７】
このため、この光送信器は、電気信号を、個別の伝送容量がそれぞれ割り当てられた複数のサブキャリアを含むマルチキャリア信号に変調する第１変調部と、前記第１変調部における前記マルチキャリア信号の前記サブキャリアの数を変更制御する制御部と、前記第１変調部により変調された前記電気信号に基づき、所定の波長の光を光信号に変調する第２変調部と、前記第１変調部により変調された前記電気信号の強度の第１の度数分布を取得する第１取得部と、前記第２変調部の光変調により得られた前記光信号の強度の第２の度数分布を取得する第２取得部と、前記第１取得部により取得された前記第１の度数分布と、前記第２取得部により取得された前記第２の度数分布との乖離が一定以下となるように、前記第２変調部による変調特性を制御する送信制御部と、を備える。
【発明の効果】
【０００８】
開示の光送信器によれば、光送信器において光信号の伝送特性を向上させることができる。
【図面の簡単な説明】
【０００９】
【図１】第１の関連技術としての光通信システムの構成を模式的に示すブロック図である。
【図２】ＤＭＴ技術を説明する図である。
【図３】図１の光通信システムの光送信器が備えるＤＭＴ変調部におけるＤＭＴ変調処理を説明する図である。
【図４】図１の光通信システムの光受信器が備えるＤＭＴ復調部におけるＤＭＴ復調処理を説明する図である。
【図５】図１の光通信システムにおける増幅器及び光変調器の非線形特性を説明する図である。
【図６】図１の光通信システムにおける信号強度の度数分布を模式的に示す図である。
【図７】図１の光通信システムにおける信号強度の度数分布を例示するヒストグラムである。
【図８】第２の関連技術としての光通信システムの構成を模式的に示すブロック図である。
【図９】サブキャリアの重ね合わせ処理を説明する図である。
【図１０】サブキャリア数と尖度との関係及びサブキャリア数と歪度との関係を例示するグラフである。
【図１１】実施形態の一例としての光通信システムの構成を模式的に示すブロック図である。
【図１２】図１１の光通信システムにおけるサブキャリアの密度変化を模式的に示す図である。
【図１３】図１１の光通信システムにおける変調器振幅と尖度との関係及び変調器振幅と尖度の変化量との関係を例示するグラフである。
【図１４】図１１の光通信システムが備える光送信器における光送信制御動作を説明するフローチャートである。
【図１５】図１１の光通信システムにおける光送受信制御動作を説明するフローチャートである。
【図１６】図１１の光通信システムにおける光送受信制御動作を説明するフローチャートである。
【発明を実施するための形態】
【００１０】
以下、図面を参照して一実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。
【００１１】
また、各図は、図中に示す構成要素のみを備えるという趣旨ではなく、他の機能等を含むことができる。
【００１２】
以下、図中において、同一の各符号は同様の部分を示しているので、その説明は省略する。
【００１３】
〔Ａ〕関連技術
図１は、第１の関連技術としての光通信システム３の構成を模式的に示すブロック図である。
【００１４】
光通信システム３は、ＤＭＴ変調方式の伝送を行なう光送信器３０及び光受信器４０を備える。
【００１５】
光送信器３０は、光信号を、光ファイバなどの伝送路３００を介して光受信器４０に伝送する。光送信器３０は、ＤＭＴ変調部３１、ＤＡＣ（Digital-Analog Converter）３２、増幅器３３、及び、光変調器３４を備える。
【００１６】
ＤＭＴ変調部３１は、外部から入力されたデータ信号をＤＭＴ変調する。なお、データ信号は電気信号の一例である。ＤＭＴ変調部３１は、データ信号を、個別の伝送容量がそれぞれ割り当てられた複数のサブキャリアを含むマルチキャリア信号に変調する。より具体的には、ＤＭＴ変調部３１は、複数のサブキャリアに対して変調の多値度及び信号パワーを割り当てる。
【００１７】
ＤＭＴ変調部３１によるＤＭＴ変調処理の詳細については、図２及び図３を用いて後述される。
【００１８】
ＤＡＣ３２は、ＤＭＴ変調部３１によりＤＭＴ変調されたデータ信号を、デジタル信号からアナログ信号に変換する。
【００１９】
増幅器３３は、アナログ信号に変換されたデータ信号を増幅する。すなわち、増幅器３３は、ＤＭＴ変調されたデータ信号を増幅する。増幅器３３は、例えば、電気アンプであってよい。
【００２０】
光変調器３４は、ＤＭＴ変調部３１によりＤＭＴ変調されたデータ信号に基づき光源（不図示）によって生成された所定の波長の光を光信号に光変調する。これにより、光源の光に、ＤＭＴ変調されたデータ信号が重畳される。なお、本例では、光変調器３４としてマッハツェンダ型光変調器を挙げるが、これに限定されない。また、光源及び光変調器３４に代えて、直接変調レーザ（Directly Modulated Laser）が用いられてもよい。
【００２１】
光変調器３４の光変調によって得られた光信号は、伝送路３００を介して光受信器４０に送信される。
【００２２】
光受信器４０は、光送信器３０から送信された光信号を受信し、元のデータ信号に復元して外部に出力する。光受信器４０は、ＰＤ／ＴＩＡ（Photo Detector/Trans Impedance Amplifier）４１、ＡＤＣ（Analog-Digital Converter）４２、及び、ＤＭＴ復調部４３を備える。
【００２３】
ＰＤ／ＴＩＡ４１は、光信号を電気信号のデータ信号に変換する。
【００２４】
ＡＤＣ４２は、データ信号をアナログ信号からデジタル信号に変換する。
【００２５】
ＤＭＴ復調部４３は、光送信器３０のＤＭＴ変調部３１でＤＭＴ変調されたデータ信号を復調する。なお、ＤＭＴ復調部４３によるＤＭＴ復調処理の詳細については、図４を用いて後述される。
【００２６】
なお、光送信器３０のＤＭＴ変調部３１及び光受信器４０のＤＭＴ復調部４３は、例えばＤＳＰ（Digital Signal Processor）などのデジタル信号処理を行なうデバイスにより構成されてもよい。
【００２７】
図２は、ＤＭＴ技術を説明する図である。
【００２８】
図２の（１）に示されるグラフは、プローブ信号の一例を示す。図２の（１）に示されるグラフにおいて、横軸は周波数を示し、縦軸は信号パワーを示す。
【００２９】
光通信システム３の運用が開始される前に、プローブ信号が光送信器３０から光受信器４０へ送信されることにより、互いに周波数が異なるサブキャリアＳＣ１，ＳＣ２，・・・，ＳＣｎ（ｎ：正の整数）ごとの伝送特性が測定される。プローブ信号は、例えば固定パターンのデータを含むマルチキャリア信号であり、多値度及び信号パワーの等しい複数のサブキャリアＳＣ１，ＳＣ２，・・・，ＳＣｎから構成される。
【００３０】
図２の（２）に示されるグラフは、プローブ信号の伝送特性の一例を示す。図２の（２）に示されるグラフにおいて、横軸は周波数を示し、縦軸は周波数応答を示す。
【００３１】
伝送特性は、ＳＮＲ（Signal-Noise Ratio）やビットエラーレートなどの信号品質を表す。本例では、周波数が高いほど周波数応答が低下している。このため、信号品質は、周波数が高いほど低く、周波数が低いほど高いと判定される。
【００３２】
図２の（３）に示されるグラフは、サブキャリアＳＣ１，ＳＣ２，・・・，ＳＣｎへの多値度の割り当ての一例を示す。図２の（３）に示されるグラフにおいて、横軸は周波数を示し、縦軸は信号パワーを示す。
【００３３】
各サブキャリアＳＣ１，ＳＣ２，・・・，ＳＣｎは、図２の（３）に示された伝送特性に基づき多値度及び信号パワーが割り当てられる。各サブキャリアＳＣ１，ＳＣ２，・・・，ＳＣｎのデータは、割り当てられた多値度に応じた変調手段により変調される。このような変調手段としては、ＱＡＭやＱＰＳＫが挙げられる。比較的に伝送特性の低いサブキャリアのデータ（例えば、「ハッチング付きのサブキャリア参照」）には、例えばＱＰＳＫが用いられる。
【００３４】
図３は、図１の光通信システム３の光送信器３０が備えるＤＭＴ変調部３１におけるＤＭＴ変調処理を説明する図である。
【００３５】
ＤＭＴ変調処理は、符号Ａ１〜Ａ６にそれぞれ示されるように、シリアル／パラレル（Ｓ／Ｐ）変換、コンスタレーションマッピング、ミラー、ＩＦＦＴ、サイクリックプレフィックス付与、及び、パラレル／シリアル変換（Ｐ／Ｓ）の各処理を含む。なお、ＩＦＦＴは、Inverse Fast Fourier Transform（逆高速フーリエ変換）の略称である。
【００３６】
符号Ａ１で示されるＳ／Ｐ変換処理において、シリアルデータのデータ信号は、サブキャリアＳＣ１〜ＳＣｎに対応させてｎ列のパラレルデータに変換する。
【００３７】
符号Ａ２で示されるマッピング処理において、各パラレルデータに対応させて、サブキャリアＳＣ１〜ＳＣｎごとに多値変調のためのマッピング（「信号点配置」と称されてもよい。）が行なわれる。この際の変調方式としては、上述したように、ＱＡＭやＱＰＳＫが挙げられるが、これに限定されない。
【００３８】
符号Ａ３で示されるミラー処理において、サブキャリアＳＣ１〜ＳＣｎに対して、複素共役対称となるようにミラーリングが行なわれ、畳み込み積分が行なわれることによって、強度情報が得られる。
【００３９】
符号Ａ４で示されるＩＦＦＴ処理において、各サブキャリアＳＣ１〜ＳＣｎの周波数情報が時間軸情報に変換される。
【００４０】
符号Ａ５で示されるサイクリックプレフィックス付与処理において、各サブキャリアＳＣ１〜ＳＣｎを構成するフレームの先頭にサイクリックプレフィックス（ＣＰ：Cyclic Prefix）１０１が付与される。サイクリックプレフィックス１０１は、各フレームの先頭に設けられる時間的なガード区間である。サイクリックプレフィックス１０１を付与することによって、直線のフレームの遅延波が次のフレームに及ぼすフレーム干渉及びサブキャリアＳＣ１〜ＳＣｎ間の周波数の直交性の崩れに起因するサブキャリア間干渉を抑制することができる。
【００４１】
符号Ａ６で示されるＰ／Ｓ変換処理において、サイクリックプレフィックス１０１が付与されたパラレルデータが、シリアルデータのデータ信号に変換される。シリアルデータのデータ信号はＤＡＣ３２に出力される。
【００４２】
図４は、図１の光通信システム３の光受信器４０が備えるＤＭＴ復調部４３におけるＤＭＴ復調処理を説明する図である。
【００４３】
ＤＭＴ復調処理は、符号Ｂ１〜Ｂ６に示されるように、Ｓ／Ｐ変換、サイクリックプレフィックス除去、ＦＦＴ、デミラー、イコライゼーション・コンスタレーションマッピング、及び、Ｐ／Ｓ変換の各処理を含む。なお、ＦＦＴは、Fast Fourier Transform（高速フーリエ変換）の略称である。
【００４４】
符号Ｂ１で示されるＳ／Ｐ変換処理において、ＡＤＣ４２から入力されるシリアルデータのデータ信号が、サブキャリアＳＣ１〜ＳＣｎに対応させてｎ列のパラレルデータに変換される。
【００４５】
符号Ｂ２で示されるサイクリックプレフィックス除去処理において、各サブキャリアＳＣ１〜ＳＣｎのフレームに付与されているサイクリックプレフィックス１０１（図３を参照）が除去される。
【００４６】
符号Ｂ３で示されるＦＦＴ処理において、各サブキャリアＳＣ１〜ＳＣｎの時間軸情報がフーリエ変換により周波数情報に変換される。
【００４７】
符号Ｂ４で示されるデミラー処理において、複素共役成分であるミラー成分が除去される。
【００４８】
符号Ｂ５で示されるイコライゼーション・コンスタレーションデマッピング処理において、各サブキャリアＳＣ１〜ＳＣｎに対してデジタルフィルタなどによる等化処理が行なわれる。更に、デマッピング処理が行なわれることで、サブキャリアＳＣ１〜ＳＣｎごとの復調が行なわれる。
【００４９】
符号Ｂ６で示されるＰ／Ｓ変換処理において、イコライゼーション・コンスタレーションデマッピング処理が施されたパラレルデータのデータ信号がシリアルデータに変換される。
【００５０】
図５は、図１の光通信システム３における増幅器３３及び光変調器３４の非線形特性を説明する図である。
【００５１】
光送信器３０は、上述したように、ＤＭＴ変調されたデータ信号を光変調器３４により光信号に変換して送信する。しかし、光変調器３４の変調特性には、例えば、以下に述べるように非線形な特性を示す領域が存在するため、光信号の伝送特性が劣化するおそれがある。更に、増幅器３３の増幅特性にも、光変調器３４と同様に非線形な特性を示す領域が含まれる。
【００５２】
図５の（１）に示されるグラフは、増幅器３３の増幅特性を示す。図５の（１）に示されるグラフにおいて、横軸はデータ信号の入力パワー（ｍＷ）を示し、縦軸はデータ信号の出力パワー（ｍＷ）を示す。
【００５３】
入力パワーに対する出力パワーの変化特性は、実質的には線形性を有しているが、部分的に非線形性を示す領域Ｃ１を含む。この非線形領域Ｃ１において、データ信号が増幅された場合、光信号の伝送特性が劣化する。
【００５４】
また、図５の（２）に示されるグラフは、光変調器３４の変調特性を示す。図５の（２）に示されるグラフにおいて、横軸は光変調器３４内の導波路上の信号電極に与えられる変調電圧（「駆動電圧」と称されてもよい。）（Ｖ）を示し、縦軸は光信号の出力パワー（ｍＷ）を示す。また、グラフ内の符号Ｃ４は光変調器３４のバイアス電圧を示す。
【００５５】
出力パワーは、変調電圧の変化に対してコサイン（ＣＯＳ）の二乗の関数曲線を示すように変化する。この関数の極大値及び極小値の間隔に相当する駆動電圧は、半波長電圧Ｖπである。
【００５６】
光変調器３４は、バイアス電圧Ｃ４において駆動されるように変調電圧が印加される。しかし、光変調器３４のバイアス電圧Ｃ４は、経時劣化や温度変化などに起因してドリフトする。このとき、出力パワーの極大値及び極小値の近傍に存在する非線形な領域Ｃ２及びＣ３で光変調が行われると、光信号の伝送特性が劣化する。
【００５７】
図６は、図１の光通信システム３における信号強度の度数分布を模式的に示す図である。
【００５８】
光信号の伝送特性の劣化は、ＤＭＴ変調部３１とＤＡＣ３２との間のポイントＤ１におけるデータ信号の強度の度数分布と、光変調器３４の後段のポイントＤ２における光信号の強度の度数分布との差異の程度として表れる。ここで、強度の度数とは、例えば所定時間内に集計された強度ごとの信号のフレーム数である。
【００５９】
ポイントＤ１におけるＤＭＴ変調部３１から出力されるデータ信号の強度の度数分布は正規分布となる（符号Ｄ３参照）のに対し、ポイントＤ２における光変調器３４から出力される光信号の強度の度数分布は正規分布からずれる（符号Ｄ４参照）。
【００６０】
図７は、図１の光通信システム３における信号強度の度数分布を例示するヒストグラムである。
【００６１】
図７には、データ信号及び光信号の強度の度数分布の一例が示されている。図７において、横軸はデータ信号又は光信号の強度を示し、縦軸は強度ごとの度数を示す。すなわち、図７は、データ信号又は光信号の強度のヒストグラムを示す。
【００６２】
このヒストグラムにおいて、符号Ｅ１はポイントＤ１（図６参照）におけるデータ信号の強度の度数分布を示し、符号Ｅ３はポイントＤ２（図６参照）における光信号の強度の度数分布を示す。また、符号Ｅ２は、正規分布、つまり、データ信号又は光信号の強度の理想的な分布を示す。更に、符号Ｅ４は、符号Ｅ３で示した光信号の強度の度数分布の輪郭の概略を示す。
【００６３】
正規分布Ｅ２とデータ信号の強度の度数分布Ｅ１を比較すると理解されるように、データ信号の強度の度数分布Ｅ１は理想的な分布を示す。また、正規分布Ｅ２と光信号の強度の度数分布Ｅ３を比較すると理解されるように、増幅器３３及び光変調器３４の変調特性の非線形な領域Ｃ１〜Ｃ３（図５参照）の影響のため、光信号の強度の度数分布Ｅ３は理想的な分布から乖離する。
【００６４】
このため、データ信号の強度の度数分布Ｅ１と光信号の強度の度数分布Ｅ３とを比較して、度数分布Ｅ１，Ｅ３の乖離の度合いとして定量的に算出すれば、光信号の品質、つまり光信号の伝送特性の劣化として検出することが可能である。度数分布の乖離の度合いは、以下において、「乖離度」と称される場合がある。
【００６５】
図８は、第２の関連技術としての光通信システム５の構成を模式的に示すブロック図である。図８において、図１と共通する構成については同一の符号を付し、その説明を省略する。
【００６６】
光通信システム５は、ＤＭＴ変調方式の伝送を行なう光送信器５０及び光受信器４０を備える。
【００６７】
光送信器５０は、光信号を、光ファイバなどの伝送路５００を介して光受信器４０に伝送する。光送信器５０は、ＤＭＴ変調部３１、ＤＡＣ３２、増幅器３３、光変調器３４、第１分布取得部５１、ＰＤ５２、第２分布取得部５３、分布比較部５４、及び、送信制御部５５を備える。
【００６８】
第１分布取得部５１は、ＤＭＴ変調部３１によりＤＭＴ変調されたデータ信号の強度の度数分布を取得する。第１分布取得部５１は、例えば周期的にフレーム単位でデータ信号の強度を検出し、所定間隔で定められた強度の範囲ごとにフレーム数を集計することにより、度数分布を測定する。第１分布取得部５１は、測定した度数分布を示す分布情報を分布比較部５４に出力する。
【００６９】
光変調器３４から出力された光信号は、不図示のスプリッタにより、分岐して伝送路５００及びＰＤ５２に導かれる。
【００７０】
ＰＤ５２は、符号Ｆ１で示されるように、入力された光信号の強度を電気的に検出して第２分布取得部５３に出力する。
【００７１】
第２分布取得部５３は、符号Ｆ２で示されるように、光変調器３４の光変調により得られた光信号の強度の度数分布を取得する。第２分布取得部５３は、ＰＤ５２からの入力信号に基づき、例えば周期的にフレーム単位で光信号の強度を検出し、所定間隔で定められた強度の範囲ごとにフレーム数を集計することにより、度数分布を測定する。第２分布取得部５３は、測定した度数分布を示す分布情報を分布比較部５４に出力する。
【００７２】
分布比較部５４は、第１分布取得部５１及び第２分布取得部５３によりそれぞれ取得された度数分布を比較する。より具体的には、分布比較部５４は、例えば各度数分布の間の乖離度を算出する。
【００７３】
分布比較部５４は、例えば各度数分布の歪度及び尖度をそれぞれ算出し、歪度及び尖度から乖離度を算出する。ここで、歪度とは、強度の平均値を中心とした強度の度数分布の非対称性の度合いを示し、尖度とは、強度の度数分布のピークの鋭さを示す。分布比較部５４は、算出した乖離度を送信制御部５５に出力する。
【００７４】
送信制御部５５は、光送信器５０の送信特性を制御する。送信制御部５５は、乖離度に基づき光変調器３４の変調特性を制御する。送信制御部５５は、上述したように、例えばバイアス電圧Ｃ４（図５の（２）参照）を調整することにより変調特性を制御してもよい。また、送信制御部５５は、バイアス電圧Ｃ４に加えて、変調振幅（図５の（１）に示された関数曲線の振幅）を調整してもよい。
【００７５】
このように、送信制御部５５は、分布比較部５４による比較の結果に応じ光変調器３４の変調特性を制御する。また、光信号は、複数のサブキャリアＳＣ１〜ＳＣｎを含むマルチキャリア信号に変調されたデータ信号に基づき光変調したものであるため、光信号の伝送特性の劣化は、データ信号と光信号との各々の強度の度数分布の差異の程度として表れる。
【００７６】
したがって、送信制御部５５は、光信号の伝送特性の劣化に応じ光変調器３４の変調特性を最適に制御できる。このため、送信制御部５５は、光変調器３４の変調特性における非線形性の領域Ｃ２及びＣ３（図５参照）の影響を低減して、伝送特性を向上することができる。
【００７７】
更に、送信制御部５５は、分布比較部５４による比較の結果に応じ増幅器３３の増幅特性を制御してもよい。この場合、送信制御部５５は、例えば乖離度に基づき増幅器３３の利得を制御する。
【００７８】
送信制御部５５は、データ信号と光信号との各々の強度の度数分布の差異の程度として表れる光信号の伝送特性の劣化に応じ増幅器３３の増幅特性を最適に制御できる。このため、増幅器３３の増幅特性における非線形性の領域Ｃ１の影響を低減して、伝送特性をさらに向上することができる。
【００７９】
図９は、サブキャリアの重ね合わせ処理を説明する図である。図１０は、サブキャリア数と尖度との関係及びサブキャリア数と歪度との関係を例示するグラフである。
【００８０】
図９に示されるように、多数の異なる周波数のサブキャリアが重ね合わせられると（符号Ｇ１参照）、信号強度の度数分布は、正規分布に近くなる（符号Ｇ２参照）。
【００８１】
図８に示されたＰＤ５２によって一定数以上のサブキャリアが受信されれば、全帯域のサブキャリアが受信されなくても、信号強度の度数分布は正規分布となる。
【００８２】
図１０に示されるグラフにおいて、尖度α４は、
【数１】
2018019150.tif 000003
によって定義され、歪度α３は、
【数２】
2018019150.tif 000004
によって、定義される。なお、Ｅ（Ｘ）は期待値を示し、μは平均値を示し、σは標準偏差を示す。
【００８３】
図１０に示されているように、５０以上のサブキャリアがＰＤ５２によって受信されれば、尖度及び歪度が０に近づき、信号強度の度数分布は正規分布となる。尖度及び歪度を０とするには、サンプリングレートが６４ＧＳ／ｓで、総サブキャリア数が２５６である場合に、６ＧＨｚの帯域のサブキャリアがサンプリングされる。
【００８４】
このように、第２の関連例における光通信システム５においては、信号強度の度数分布を正規分布とするために用いられるＰＤ５２の透過帯域が広くなり、光通信システム５の構成が高価になってしまう。
【００８５】
〔Ｂ〕実施形態
〔Ｂ−１〕システム構成
図１１は、実施形態の一例としての光通信システム１の構成を模式的に示すブロック図である。
【００８６】
光通信システム１は、ＤＭＴ変調方式の伝送を行なう光送信器１０及び光受信器２０を備える。
【００８７】
光送信器１０は、光信号を、光ファイバなどの伝送路１００を介して光受信器２０に伝送する。光送信器１０は、図１１に示されるように、ＤＭＴ変調部１１、ＤＡＣ１２、増幅器１３、光変調器１４、第１分布取得部１５、モニタＰＤ１６、第２分布取得部１７、分布比較部１８、送信制御部１９、制御部１１１、及び、第１サブキャリア数制御部１１２を備える。
【００８８】
ＤＭＴ変調部１１、第１分布取得部１５、第２分布取得部１７、分布比較部１８、送信制御部１９、制御部１１１、及び、第１サブキャリア数制御部１１２は、例えばＤＳＰなどのプロセッサにより構成されてもよい。また、ＤＡＣ１２、増幅器１３、光変調器１４、及び、モニタＰＤ１６は、例えばアナログ回路により構成されてもよい。
【００８９】
ＤＭＴ変調部１１は、第１変調部の一例であり、外部から入力されたデータ信号をＤＭＴ変調する。なお、データ信号は電気信号の一例である。ＤＭＴ変調部１１は、データ信号を、個別の伝送容量がそれぞれ割り当てられた複数のサブキャリアを含むマルチキャリア信号に変調する。より具体的には、ＤＭＴ変調部１１は、複数のサブキャリアに対して変調の多値度及び信号パワーを割り当てる。
【００９０】
ＤＭＴ変調部１１は、図２及び図３を用いて上述されたＤＭＴ変調処理を行なってよい。
【００９１】
ＤＡＣ１２は、ＤＭＴ変調部１１によりＤＭＴ変調されたデータ信号を、デジタル信号からアナログ信号に変換する。
【００９２】
増幅器１３は、アナログ信号に変換されたデータ信号を増幅する。すなわち、増幅器１３は、ＤＭＴ変調されたデータ信号を増幅する。増幅器１３は、例えば、電気アンプであってよい。
【００９３】
光変調器１４は、第２変調部の一例であり、ＤＭＴ変調部１１によりＤＭＴ変調されたデータ信号に基づき、光源（不図示）によって生成された所定の波長の光を光信号に光変調する。これにより、光源の光に、ＤＭＴ変調されたデータ信号が重畳される。なお、本例では、光変調器１４としてマッハツェンダ型光変調器を挙げるが、これに限定されない。また、光源及び光変調器１４に代えて、直接変調レーザが用いられてもよい。
【００９４】
光変調器１４の光変調によって得られた光信号は、伝送路１００を介して光受信器２０に送信される。
【００９５】
第１分布取得部１５は、第１取得部の一例であり、ＤＭＴ変調部１１によりＤＭＴ変調されたデータ信号の強度の度数分布を取得する。第１分布取得部１５は、例えば周期的にフレーム単位でデータ信号の強度を検出し、所定間隔で定められた強度の範囲ごとにフレーム数を集計することにより、度数分布を測定する。第１分布取得部１５は、測定した度数分布を示す分布情報を分布比較部１８に出力する。
【００９６】
光変調器１４から出力された光信号は、不図示のスプリッタにより、分岐して伝送路１００及びモニタＰＤ１６に導かれる。
【００９７】
モニタＰＤ１６は、入力された光信号の強度を電気的に検出して第２分布取得部１７に出力する。
【００９８】
第２分布取得部１７は、第２取得部の一例であり、光変調器１４の光変調により得られた光信号の強度の度数分布を取得する。第２分布取得部１７は、モニタＰＤ１６からの入力信号に基づき、例えば周期的にフレーム単位で光信号の強度を検出し、所定間隔で定められた強度の範囲ごとにフレーム数を集計することにより、度数分布を測定する。第２分布取得部１７は、測定した度数分布を示す分布情報を分布比較部１８に出力する。
【００９９】
分布比較部１８は、比較部の一例であり、第１分布取得部１５及び第２分布取得部１７によりそれぞれ取得された度数分布を比較する。より具体的には、分布比較部１８は、例えば各度数分布の間の乖離度を算出する。
【０１００】
分布比較部１８は、例えば各度数分布の歪度及び尖度をそれぞれ算出し、歪度及び尖度から乖離度を算出する。ここで、歪度とは、強度の平均値を中心とした強度の度数分布の非対称性の度合いを示し、尖度とは、強度の度数分布のピークの鋭さを示す。分布比較部１８は、算出した乖離度を送信制御部１９に出力する。
【０１０１】
送信制御部１９は、光送信器１０の送信特性を制御する。送信制御部１９は、算出された乖離度に基づき光変調器１４の変調特性を制御する。送信制御部１９は、上述したように、例えばバイアス電圧Ｃ４（図５の（２）参照）を調整することにより変調特性を制御してもよい。また、送信制御部１９は、バイアス電圧Ｃ４に加えて、変調振幅（図５の（１）に示された関数曲線の振幅）を調整してもよい。
【０１０２】
別言すれば、送信制御部１９は、第１分布取得部１５によって取得された第１の度数分布と、第２分布取得部１７によって取得された第２の度数分布との乖離が一定以下となるように、光変調器１４による変調特性を制御する。
【０１０３】
このように、第１の度数分布と第２の度数分布との乖離が一定以下となるように、光変調器１４による変調特性が制御されることにより、伝送特性を向上させることができる。
【０１０４】
また、送信制御部１９は、光変調器１４による変調特性を、第２分布取得部１７によって取得された第２の度数分布が正規分布となるように制御する。
【０１０５】
このように、光変調器１４による変調特性が、第２の度数分布が正規分布となるように制御されることにより、光送信器１０における伝送特性を確実に向上させることができる。
【０１０６】
別言すれば、送信制御部１９は、光変調器１４による変調特性を、第２分布取得部１７によって取得された信号強度の度数分布の尖度及び歪度が０になるように制御する。
【０１０７】
制御部１１１は、光送信器１０の制御の開始及び終了を制御する。制御部１１１は、ＤＭＴ変調部１１に設定されるサブキャリア数を決定する。制御部１１１は、図１０を用いて上述されたように、ＤＭＴ変調部１１から出力されるマルチキャリア信号のサブキャリア数を例えば５０にすることを決定してよい。
【０１０８】
別言すれば、制御部１１１は、ＤＭＴ変調部１１におけるマルチキャリア信号のサブキャリアの数を変更制御する。
【０１０９】
図１２は、図１１の光通信システム１におけるサブキャリアの密度変化を模式的に示す図である。
【０１１０】
制御部１１１は、送信制御部１９によって増幅器１３及び光変調器１４の制御を行なう際に、ＤＭＴ変調部１１から出力されるマルチキャリア信号の総キャリア数を増加させる。制御部１１１は、例えば、マルチキャリア信号の総キャリア数を通常時の２５６から２０４８に増加させる。なお、通常時とは、送信制御部１９による制御を行なわない時である。
【０１１１】
総キャリア数が２０４８に増加されるとモニタＰＤ１６が例えば５０のサブキャリアを透過させるための帯域は約８００ＭＨｚとなる。そして、モニタＰＤ１６における透過帯域を、第２の関連技術において正規分布を補償するためのＰＤ５２の透過帯域６ＧＨｚから、８００ＭＨｚまで狭帯域化できる。
【０１１２】
これにより、図１２の（１）の符号Ｈ１で示される周波数帯域と図１２の（２）の符号Ｈ２で示される周波数帯域とには同じ数のサブキャリア含まれるが、帯域幅が異なる。すなわち、図１２の（２）の符号Ｈ２で示される周波数帯域は図１２の（１）の符号Ｈ１で示される周波数帯域よりも狭くなり、光送信器１０は例えば８００ＭＨｚの狭帯域のモニタＰＤ１６を備えることができる。モニタＰＤ１６は帯域幅が小さいと安価となるため、実施形態の一例としての光通信システム１は安価な構成となる。
【０１１３】
制御部１１１は、第１サブキャリア数制御部１１２及び光受信器２０が備える第２サブキャリア数制御部２４（後述）に、決定したサブキャリア数を通知する。
【０１１４】
このように、第２サブキャリア数制御部２４にサブキャリア数が通知されることにより、光受信器２０は、光送信器１０から受信したマルチキャリア信号を復調することができる。
【０１１５】
第１サブキャリア数制御部１１２は、ＤＭＴ変調部１１が制御部１１１から通知されたサブキャリア数のマルチキャリア信号を出力するように設定する。
【０１１６】
光受信器２０は、光送信器１０から送信された光信号を受信し、元のデータ信号に復元して外部に出力する。光受信器２０は、図１１に示されるように、ＰＤ／ＴＩＡ２１、ＡＤＣ２２、ＤＭＴ復調部２３、及び、第２サブキャリア数制御部２４を備える。
【０１１７】
ＤＭＴ復調部２３、及び、第２サブキャリア数制御部２４は、例えばＤＳＰなどのプロセッサにより構成されてもよい。また、ＰＤ／ＴＩＡ２１及び、ＡＤＣ２２は、例えばアナログ回路により構成されてもよい。
【０１１８】
ＰＤ／ＴＩＡ２１は、光信号を電気信号のデータ信号に変換する。
【０１１９】
ＡＤＣ２２は、データ信号をアナログ信号からデジタル信号に変換する。
【０１２０】
ＤＭＴ復調部２３は、復調部の一例であり、光送信器１０のＤＭＴ変調部１１でＤＭＴ変調されたデータ信号を復調する。ＤＭＴ復調部２３は、図４を用いて上述されたＤＭＴ変調処理を行なってよい。
【０１２１】
なお、光送信器１０のＤＭＴ変調部１１及び光受信器２０のＤＭＴ復調部２３は、例えばＤＳＰなどのデジタル信号処理を行なうデバイスにより構成されてもよい。
【０１２２】
第２サブキャリア数制御部２４は、サブキャリア数制御部の一例であり、ＤＭＴ復調部２３が光送信器１０の制御部１１１から通知されたサブキャリア数のマルチキャリア信号を復調するように設定する。
【０１２３】
別言すれば、第２サブキャリア数制御部２４は、光送信器１０から通知されたサブキャリア数に基づき、ＤＭＴ復調部２３を制御する。
【０１２４】
このように、光送信器１０から通知されたサブキャリア数に基づいてＤＭＴ復調部２３が制御されることにより、光受信器２０は、ＤＭＴ変調部１１の出力信号のサブキャリア数が制御された場合においても、光送信器１０からのデータ信号を受信することができる。
【０１２５】
図１３は、図１１の光通信システム１における変調器振幅と尖度との関係及び変調器振幅と尖度の変化量との関係を例示するグラフである。
【０１２６】
図１３の（１）に示されるグラフにおいて、横軸は変調器振幅（ｘＶπ）を示し、縦軸は尖度を示す。図１３の（２）に示されるグラフにおいて、横軸は変調器振幅を示し、縦軸は尖度の変化量を示す。
【０１２７】
図１３の（１）及び（２）には、マッハツェンダ型の光変調器３４又は１４（図８又は図１１参照）の駆動振幅を変化させた際のモニタ結果が示されている。駆動振幅が大きくなるとマッハツェンダ変調特性によって生じる非線形特性は、強度の度数分布の尖度によってモニタされる。
【０１２８】
図８に示された第２の関連技術の光通信システム５において広帯域のＰＤ５２が備えられる場合には、図１３の（１）及び（２）の符号Ｉ１で示されるように、変調器振幅が０．１から０．８に変化すると、尖度は約０．５増加する。
【０１２９】
また、図８に示された第２の関連技術の光通信システム５において狭帯域のＰＤ５２が備えられる場合には、図１３の（１）及び（２）の符号Ｉ２で示されるように、変調器振幅が０．１から０．８に変化すると、尖度は約０．０１増加する。
【０１３０】
一方、図１１に示された実施形態の光通信システム１において狭帯域のモニタＰＤ１６が備えられる場合には、図１３の（１）及び（２）の符号Ｉ３で示されるように、変調器振幅が０．１から０．８に変化すると、尖度は約０．０８増加する。
【０１３１】
このように、実施形態の光通信システム１によれば、第２の関連技術の光通信システム５において同様に狭帯域のＰＤ５２が備えられる場合と比較して、モニタＰＤ１６によるモニタ感度が８倍になる。
【０１３２】
〔Ｃ〕動作
上述した図１１の光通信システム１が備える光送信器１０における光送信制御動作を、図１４に示されるフローチャート（ステップＳ１〜Ｓ８）に従って説明する。
【０１３３】
制御部１１１は、第１サブキャリア数制御部１１２を介して、ＤＭＴ変調部１１における出力信号のサブキャリア数を変更する。また、制御部１１１は、光受信器２０の第２サブキャリア数制御部２４を介して、光受信器２０のＤＭＴ復調部２３において復調のために用いられるサブキャリア数（ＳＣ数）を変更する（ステップＳ１）。
【０１３４】
第１分布取得部１５は、ＤＭＴ変調部１１の出力信号の度数分布を取得する（ステップＳ２）。
【０１３５】
モニタＰＤ１６は、光変調器１４の出力信号を受光する（ステップＳ３）。
【０１３６】
第２分布取得部１７は、光変調器１４の出力信号の度数分布を取得する（ステップＳ４）。
【０１３７】
分布比較部１８は、ＤＭＴ変調部１１の出力信号の度数分布と、光変調器１４の出力信号の度数分布とを比較する（ステップＳ５）。
【０１３８】
分布比較部１８は、比較結果を用いて、度数分布の乖離が一定以下であるかを判定する（ステップＳ６）。
【０１３９】
度数分布の乖離が一定以下である場合には（ステップＳ６のＹｅｓルート参照）、制御部１１１は、第１サブキャリア数制御部１１２を介して、ＤＭＴ変調部１１における出力信号のサブキャリア数を変更する。また、制御部１１１は、光受信器２０の第２サブキャリア数制御部２４を介して、光受信器２０のＤＭＴ復調部２３において復調のために用いられるサブキャリア数を変更する（ステップＳ７）。そして、処理は終了する。
【０１４０】
一方、度数分布の乖離が一定以下でない場合には（ステップＳ６のＮｏルート参照）、送信制御部１９は、光変調器１４による変調特性を変更して、送信特性を制御する（ステップＳ８）。そして、処理はステップＳ２へ戻る。
【０１４１】
次に、図１１の光通信システム１における光送受信制御動作を、図１５及び図１６に示されるフローチャート（ステップＳ１１〜Ｓ２６）に従って説明する。なお、図１５にはステップＳ１１〜Ｓ２１の処理が示され、図１６にはステップＳ２２〜Ｓ２６の処理が示される。
【０１４２】
制御部１１１は、第１サブキャリア数制御部１１２を介して、ＤＭＴ変調部１１に対して、サブキャリア数を例えば２５６から２０４８へ増加させることを示すサブキャリア変更情報を通知する（図１５のステップＳ１１）。
【０１４３】
ＤＭＴ変調部１１は、送受信間通信サブキャリアに対して、サブキャリア数を例えば２５６から２０４８へ増加させることを示すサブキャリア変更情報を設定する（図１５のステップＳ１２）。
【０１４４】
光送信器１０は、光受信器２０に対して、光信号を伝送する（図１５のステップＳ１３）。
【０１４５】
ＤＭＴ復調部２３は、伝送された光信号の送受信間通信ＳＣから、サブキャリア数が例えば２５６から２０４８へ変更されたことを示すＳＣ変更情報を取得する（図１５のステップＳ１４）。
【０１４６】
制御部１１１は、同一のＤＭＴ信号に対して変更後のサブキャリア数が適用されるように、第１サブキャリア数制御部１１２を介して、ＤＭＴ変調部１１の出力信号のサブキャリア数を変更する。また、制御部１１１は、同一のＤＭＴ信号に対して変更後のサブキャリア数が適用されるように、第２サブキャリア数制御部２４を介して、ＤＭＴ復調部２３の出力信号のサブキャリア数を変更する（図１５のステップＳ１５）。
【０１４７】
第１分布取得部１５は、ＤＭＴ変調部１１の出力信号の度数分布を取得する（図１５のステップＳ１６）。
【０１４８】
モニタＰＤ１６は、光変調器１４の出力信号を受光する（図１５のステップＳ１７）。
【０１４９】
第２分布取得部１７は、光変調器１４の出力信号の度数分布を取得する（図１５のステップＳ１８）。
【０１５０】
分布比較部１８は、ＤＭＴ変調部１１の出力信号の度数分布と、光変調器１４の出力信号の度数分布とを比較する（図１５のステップＳ１９）。
【０１５１】
分布比較部１８は、比較結果に基づき、度数分布の乖離が一定以下であるかを判定する（図１５のステップＳ２０）。
【０１５２】
度数分布の乖離が一定以下でない場合には（ステップＳ２０のＮｏルート参照）、送信制御部１９は、光変調器１４による変調条件を変更して、送信特性を制御する（図１５のステップＳ２１）。そして、処理は図１５のステップＳ１６へ戻る。
【０１５３】
一方、度数分布の乖離が一定以下である場合には（ステップＳ２０のＹｅｓルート参照）、制御部１１１は、第１サブキャリア数制御部１１２を介して、ＤＭＴ変調部１１に対して、サブキャリア変更情報を通知する（図１６のステップＳ２２）。図１６のステップＳ２２において通知されるサブキャリア変更情報は、サブキャリア数を例えば２０４８から２５６へ戻すことを示す。
【０１５４】
ＤＭＴ変調部１１は、送受信間通信サブキャリアに対して、サブキャリア数を例えば２０４８から２５６へ戻すことを示すサブキャリア変更情報を設定する（図１６のステップＳ２３）。
【０１５５】
光送信器１０は、光受信器２０に対して、光信号を伝送する（図１６のステップＳ２４）。
【０１５６】
ＤＭＴ復調部２３は、伝送された光信号の送受信間通信ＳＣから、サブキャリア数が例えば２０４８から２５６へ戻されたことを示すＳＣ変更情報を取得する（図１６のステップＳ２５）。
【０１５７】
制御部１１１は、同一のＤＭＴ信号に対して変更後のサブキャリア数が適用されるように、第１サブキャリア数制御部１１２を介して、ＤＭＴ変調部１１の出力信号のサブキャリア数を変更する。また、制御部１１１は、同一のＤＭＴ信号に対して変更後のサブキャリア数が適用されるように、第２サブキャリア数制御部２４を介して、ＤＭＴ復調部２３の出力信号のサブキャリア数を変更する（図１６のステップＳ２６）。そして、処理は終了する。
【０１５８】
〔Ｄ〕その他
開示の技術は上述した実施形態に限定されるものではなく、本実施形態の趣旨を逸脱しない範囲で種々変形して実施することができる。本実施形態の各構成及び各処理は、必要に応じて取捨選択することができ、あるいは適宜組み合わせてもよい。
【０１５９】
〔Ｅ〕付記
（付記１）
電気信号を、個別の伝送容量がそれぞれ割り当てられた複数のサブキャリアを含むマルチキャリア信号に変調する第１変調部と、
前記第１変調部における前記マルチキャリア信号の前記サブキャリアの数を変更制御する制御部と、
前記第１変調部により変調された前記電気信号に基づき、所定の波長の光を光信号に変調する第２変調部と、
前記第１変調部により変調された前記電気信号の強度の第１の度数分布を取得する第１取得部と、
前記第２変調部の光変調により得られた前記光信号の強度の第２の度数分布を取得する第２取得部と、
前記第１取得部により取得された前記第１の度数分布と、前記第２取得部により取得された前記第２の度数分布との乖離が一定以下となるように、前記第２変調部による変調特性を制御する送信制御部と、
を備える、光送信器。
【０１６０】
（付記２）
前記送信制御部は、前記変調特性を、前記第２の度数分布が正規分布となるように制御する、
付記１に記載の光送信器。
【０１６１】
（付記３）
前記制御部は、前記光信号を受信する光受信器に前記複数のサブキャリアの数を通知する、
付記１又は２に記載の光送信器。
【０１６２】
（付記４）
付記１〜３のいずれか１項に記載の光送信器からの前記光信号を復調する復調部と、
前記光送信器から通知された前記複数のサブキャリアの数に基づき、前記復調部を制御するサブキャリア数制御部と、
を備える、光受信器。
【０１６３】
（付記５）
光送信器と、
前記光送信器からの光信号を受信する光受信器と、
を備え、
前記光送信器は、
電気信号を、個別の伝送容量がそれぞれ割り当てられた複数のサブキャリアを含むマルチキャリア信号に変調する第１変調部と、
前記第１変調部における前記マルチキャリア信号の前記サブキャリアの数を変更制御する制御部と、
前記第１変調部により変調された前記電気信号に基づき、所定の波長の光を前記光信号に変調する第２変調部と、
前記第１変調部により変調された前記電気信号の強度の第１の度数分布を取得する第１取得部と、
前記第２変調部の光変調により得られた前記光信号の強度の第２の度数分布を取得する第２取得部と、
前記第１取得部により取得された前記第１の度数分布と、前記第２取得部により取得された前記第２の度数分布との乖離が一定以下となるように、前記第２変調部による変調特性を制御する送信制御部と、
を備える、光通信システム。
【０１６４】
（付記６）
前記送信制御部は、前記変調特性を、前記第２の度数分布が正規分布となるように制御する、
付記５に記載の光通信システム。
【０１６５】
（付記７）
前記制御部は、前記光受信器に前記複数のサブキャリアの数を通知し、
前記光受信器は、
前記光送信器から送信された前記光信号を復調する復調部と、
前記制御部によって通知された前記複数のサブキャリアの数に基づき、前記復調部を制御するサブキャリア数制御部と、
を備える、付記５又は６に記載の光通信システム。
【０１６６】
（付記８）
光送信器において、
電気信号を、個別の伝送容量がそれぞれ割り当てられた複数のサブキャリアを含むマルチキャリア信号に変調し、
前記マルチキャリア信号の前記サブキャリアの数を変更制御し、
前記変調された前記電気信号に基づき、所定の波長の光を光信号に変調し、
前記変調された前記電気信号の強度の第１の度数分布を取得し、
前記光変調により得られた前記光信号の強度の第２の度数分布を取得し、
前記取得された前記第１の度数分布と、前記取得された前記第２の度数分布との乖離が一定以下となるように、前記光信号の変調特性を制御する、
光送信制御方法。
【０１６７】
（付記９）
前記光送信器において、更に、
前記変調特性を、前記第２の度数分布が正規分布となるように制御する、
付記８に記載の光送信制御方法。
【０１６８】
（付記１０）
光送信器において、
電気信号を、個別の伝送容量がそれぞれ割り当てられた複数のサブキャリアを含むマルチキャリア信号に変調し、
前記マルチキャリア信号の前記サブキャリアの数を変更制御し、
前記変調された前記電気信号に基づき、所定の波長の光を光信号に変調し、
前記変調された前記電気信号の強度の第１の度数分布を取得し、
前記光変調により得られた前記光信号の強度の第２の度数分布を取得し、
前記取得された前記第１の度数分布と、前記取得された前記第２の度数分布との乖離が一定以下となるように、前記光信号の変調特性を制御するとともに、
前記光信号を受信する光受信器に前記複数のサブキャリアの数を通知し、
前記光受信器において、
前記光送信器から送信された前記光信号を復調し、
前記通知された前記複数のサブキャリアの数に基づき、前記復調を制御する、
光送受信制御方法。
【符号の説明】
【０１６９】
１        ：光通信システム
１００    ：伝送路
１０      ：光送信器
１１      ：ＤＭＴ変調部
１２      ：ＤＡＣ
１３      ：増幅器
１４      ：光変調器
１５      ：第１分布取得部
１６      ：モニタＰＤ
１７      ：第２分布取得部
１８      ：分布比較部
１９      ：送信制御部
１１１    ：制御部
１１２    ：第１サブキャリア数制御部
２０      ：光受信器
２１      ：ＰＤ／ＴＩＡ
２２      ：ＡＤＣ
２３      ：ＤＭＴ復調部
２４      ：第２サブキャリア数制御部
３        ：光通信システム
３００    ：伝送路
３０      ：光送信器
３１      ：ＤＭＴ変調部
３２      ：ＤＡＣ
３３      ：増幅器
３４      ：光変調器
４０      ：光受信器
４１      ：ＰＤ／ＴＩＡ
４２      ：ＡＤＣ
４３      ：ＤＭＴ復調部
５        ：光通信システム
５００    ：伝送路
５０      ：光送信器
５１      ：第１分布取得部
５２      ：ＰＤ
５３      ：第２分布取得部
５４      ：分布比較部
５５      ：送信制御部
１０１    ：サイクリックプレフィックス
【図１】
2018019150.tif 000005
【図２】
2018019150.tif 000006
【図３】
2018019150.tif 000007
【図４】
2018019150.tif 000008
【図５】
2018019150.tif 000009
【図６】
2018019150.tif 000010
【図７】
2018019150.tif 000011
【図８】
2018019150.tif 000012
【図９】
2018019150.tif 000013
【図１０】
2018019150.tif 000014
【図１１】
2018019150.tif 000015
【図１２】
2018019150.tif 000016
【図１３】
2018019150.tif 000017
【図１４】
2018019150.tif 000018
【図１５】
2018019150.tif 000019
【図１６】
2018019150.tif 000020